【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
ビデオデータに基づく１以上のメディアファイルを生成する方法であって、前記方法は、
前記ビデオデータを取得するステップと、
それぞれが少なくとも１つのタイル領域のビデオデータを有する複数のタイルトラックを生成するステップと、
前記ビデオデータのタイル領域を記述するために用いられ、かつ１に設定された場合前記TileRegionGroupEntry内に依存リストが存在することを示し、０に設定された場合前記dependency list内に前記依存リストが存在しないことを示すディスクリプタを含むTileRegionGroupEntryを生成するステップと、
前記複数のタイルトラックに基づく前記１以上のメディアファイルと、前記TileRegionGroupEntryと、を生成するステップと、
を含み、
前記依存リストは、前記依存リスト内のタイル領域の数を示す‘dependency_tile_count’と、前記タイル領域が依存するタイル領域のグループ識別子を提供するDependencyTileGroupIdを含むことを特徴とする方法。
【請求項２】
前記TileRegionGroupEntryは、前記TileRegionGroupEntry内に符号化処理で用いられる前記ディスクリプタが存在するかを示すフラグをさらに含むことを特徴とする請求項１に記載の方法。
【請求項３】
前記フラグは、０に設定されている場合、前記TileRegionGroupEntry内に前記ディスクリプタが存在することを示し、１に設定されている場合、前記TileRegionGroupEntry内に前記ディスクリプタが存在しないことを示すことを特徴とする請求項２に記載の方法。
【請求項４】
前記TileRegionGroupEntryは、前記ビデオデータのサンプルグループの特徴に関する情報を提供するためのSampleGroupDescriptionBoxに含まれることを特徴とする請求項１から３のいずれか１項に記載の方法。
【請求項５】
ビデオデータに基づく１以上のメディアファイルを処理する方法であって、前記方法は、
それぞれが１以上のタイル領域のビデオデータを含む複数のタイルトラックと、前記ビデオデータのタイル領域を記述するために用いられるTileRegionGroupEntryと、を含む前記１以上のメディアファイルを受信するステップと、
前記TileRegionGroupEntryを参照して１以上のタイル領域のビデオデータを表すステップと、
を含み、
前記TileRegionGroupEntryは、１に設定されている場合前記TileRegionGroupEntry内に依存リストが存在することを示し、０に設定されている場合前記TileRegionGroupEntry内に前記依存リストが存在しないことを示すディスクリプタを含み、
前記依存リストは、前記依存リスト内のタイル領域の数を示す‘dependency_tile_count’と、前記タイル領域が依存するタイル領域のグループ識別子を提供するDependencyTileGroupIdを含むことを特徴とする方法。
【請求項６】
前記TileRegionGroupEntryは、前記TileRegionGroupEntry内に符号化処理で用いられる前記ディスクリプタが存在するかを示すフラグをさらに含むことを特徴とする請求項５に記載の方法。
【請求項７】
前記TileRegionGroupEntryは、前記ビデオデータのサンプルグループの特徴に関する情報を提供するためのSampleGroupDescriptionBoxに含まれることを特徴とする請求項５または６に記載の方法。
【請求項８】
ビデオデータに基づく１以上のメディアファイルを生成する通信装置であって、前記通信装置は、
前記ビデオデータを取得する手段と、
それぞれが少なくとも１つのタイル領域のビデオデータを有する複数のタイルトラックを生成する手段と、
前記ビデオデータのタイル領域を記述するために用いられ、かつ１に設定された場合前記TileRegionGroupEntry内に依存リストが存在することを示し、０に設定された場合前記dependency list内に前記依存リストが存在しないことを示すディスクリプタを含むTileRegionGroupEntryを生成する手段と、
前記複数のタイルトラックに基づく前記１以上のメディアファイルと、前記TileRegionGroupEntryと、を生成する手段と、を含み、
前記依存リストは、前記依存リスト内のタイル領域の数を示す‘dependency_tile_count’と、前記タイル領域が依存するタイル領域のグループ識別子を提供するDependencyTileGroupIdを含むことを特徴とする通信装置。
【請求項９】
前記TileRegionGroupEntryは、前記TileRegionGroupEntry内に符号化処理で用いられる前記ディスクリプタが存在するかを示すフラグをさらに含むことを特徴とする請求項８に記載の通信装置。
【請求項１０】
前記TileRegionGroupEntryは、前記ビデオデータのサンプルグループの特徴に関する情報を提供するためのSampleGroupDescriptionBoxに含まれることを特徴とする請求項８または９に記載の通信装置。
【請求項１１】
ビデオデータに基づく１以上のメディアファイルを処理する通信装置であって、前記通信装置は、
それぞれが１以上のタイル領域のビデオデータを含む複数のタイルトラックと、前記ビデオデータのタイル領域を記述するために用いられるTileRegionGroupEntryと、を含む前記１以上のメディアファイルを受信する手段と、
前記TileRegionGroupEntryを参照して１以上のタイル領域のビデオデータを表す手段と、
を含み、
前記TileRegionGroupEntryは、１に設定されている場合前記TileRegionGroupEntry内に依存リストが存在することを示し、０に設定されている場合前記TileRegionGroupEntry内に前記依存リストが存在しないことを示すディスクリプタを含み、
前記依存リストは、前記依存リスト内のタイル領域の数を示す‘dependency_tile_count’と、前記タイル領域が依存するタイル領域のグループ識別子を提供するDependencyTileGroupIdを含むことを特徴とする通信装置。
【請求項１２】
前記TileRegionGroupEntryは、前記TileRegionGroupEntry内に符号化処理で用いられる前記ディスクリプタが存在するかを示すフラグをさらに含むことを特徴とする請求項１１に記載の通信装置。
【請求項１３】
前記TileRegionGroupEntryは、前記ビデオデータのサンプルグループの特徴に関する情報を提供するためのSampleGroupDescriptionBoxに含まれることを特徴とする請求項１１または１２に記載の通信装置。
【請求項１４】
コンピュータ又はプロセッサによって実行されると、請求項１から７のいずれか１項に記載の方法を前記コンピュータ又はプロセッサに実行させるプログラム。
【請求項１５】
請求項１４に記載のプログラムを記憶するコンピュータ可読記憶媒体。
【手続補正２】
【補正対象書類名】明細書
【補正対象項目名】００１０
【補正方法】変更
【補正の内容】
【００１０】
本発明の第１の態様によると、ビデオデータに基づく１以上のメディアファイルを生成する方法であって、方法は、ビデオデータを取得するステップと、それぞれが少なくとも１つのタイル領域のビデオデータを有する複数のタイルトラックを生成するステップと、ビデオデータのタイル領域を記述するために用いられ、かつ１に設定された場合TileRegionGroupEntry内に依存リストが存在することを示し、０に設定された場合dependency list内に依存リストが存在しないことを示すディスクリプタを含むTileRegionGroupEntryを生成するステップと、複数のタイルトラックに基づく１以上のメディアファイルと、TileRegionGroupEntryと、を生成するステップと、を含み、依存リストは、依存リスト内のタイル領域の数を示す‘dependency_tile_count’と、タイル領域が依存するタイル領域のグループ識別子を提供するDependencyTileGroupIdを含む。
【手続補正３】
【補正対象書類名】明細書
【補正対象項目名】００１１
【補正方法】変更
【補正の内容】
【００１１】
本発明の第２の態様によると、ビデオデータに基づく１以上のメディアファイルを処理する方法であって、方法は、それぞれが１以上のタイル領域のビデオデータを含む複数のタイルトラックと、ビデオデータのタイル領域を記述するために用いられるTileRegionGroupEntryと、を含む１以上のメディアファイルを受信するステップと、
TileRegionGroupEntryを参照して１以上のタイル領域のビデオデータを表すステップと、を含み、TileRegionGroupEntryは、１に設定されている場合TileRegionGroupEntry内に依存リストが存在することを示し、０に設定されている場合TileRegionGroupEntry内に依存リストが存在しないことを示すディスクリプタを含み、依存リストは、依存リスト内のタイル領域の数を示す‘dependency_tile_count’と、タイル領域が依存するタイル領域のグループ識別子を提供するDependencyTileGroupIdを含む。